(57)【要約】  【課題】  異なる形式の画像信号を同一の監視画面においてリアルタイムで表示するミックス信号画像のリアルタイム表示方法を提供する。【解決手段】監視ホストを含み、インターネット／ローカルエリアネットを介して複数の監視装置にリンクし、かつ送受信インタフェースを介して複数のアナログ監視装置にリンクしてなる監視システムに応用する画像表示方法において、該インターネット／ローカルエリアネットを介して伝送されるデジタル画像データと、該送受信インタフェイスを介して伝送されるアナログ画像データとを受信するステップと、データ捕捉サーバーを利用してこれら画像データを収集して処理、送信するステップと、これら画像データをマージして異なるデータ提供源からの信号がミックスされた信号を形成し、監視端に提供してリアルタイムでこれら画像データを表示するステップとを含む。【選択図】  図２
2005151604.tif 000002
【特許請求の範囲】
【請求項１】
監視ホストを含み、インターネット／ローカルエリアネットを介して複数の監視装置にリンクし、かつ送受信インタフェースを介して複数のアナログ監視装置にリンクしてなる監視システムに応用する画像表示方法であって、
該インターネット／ローカルエリアネットを介して伝送されるデジタル画像データと、該送受信インタフェイスを介して伝送されるアナログ画像データとを受信するステップと、
データ捕捉サーバーを利用してデジタル画像データと、該アナログ画像データとを収集して処理を行い、送信するステップと、
該デジタル画像データとアナログ画像データとをマージ（ｍｅｒｇｅ）して、異なるデータ提供源からの信号がミックスされた信号を形成し、監視端に提供してリアルタイムで該デジタル画像データと該アナログ画像データとを表示するステップと、を含んでなること特徴とするミックス信号画像のリアルタイム表示方法。
【請求項２】
前記デジタル画像データとアナログ画像データとが、データミキサーによって該デジタル画像データと該アナログ画像データとを同時に処理し、マージ（ｍｅｒｇｅ）されることを特徴とする請求項１に記載のミックス信号画像のリアルタイム表示方法。
【請求項３】
前記異なるデータ提供源からの信号がミックスされた信号が形成された後、該信号をデータベースに保存し、該デジタル画像データと該アナログ画像データとをリアルタイムで表示するために監視端に提供するステップを更に含むことを特徴とする請求項１に記載のミックス信号画像のリアルタイム表示方法。
【請求項４】
前記データ捕捉サーバが該アナログ画像データを処理してデジタル信号の提供源とし、且つ後続の処理において該アナログ画像信号が該デジタル監視装置を提供源として提供されるものと見なすことを特徴とする請求項１に記載のミックス信号画像のリアルタイム表示方法。
【請求項５】
前記監視システムが、該インターネット／ローカルエリアネットワークにリンクして、該デジタル画像データを受信するネットワーク通信装置を具えることを特徴とする請求項１に記載のミックス信号画像のリアルタイム表示方法。
【請求項６】
前記監視システムが、該送受信インタフェイスにリンクして該アナログ画像データを受信するバス通信装置を具えることを特徴とする請求項１に記載のミックス信号画像のリアルタイム表示方法。
【請求項７】
前記インターネット／ローカルエリアネットワークがＴＣＰ／ＩＰ構造によってなり、且つ、それぞれのデジタル監視装置に独自のＩＰアドレスが設定されることを特徴とする請求項１に記載のミックス信号画像のリアルタイム表示方法。
【請求項８】
前記ローカルエリアネットワークがイーサネット（Ｅｔｈｅｒｎｅｔ  Ｎｅｔｗｏｒｋ）（登録商標）であることを特徴とする請求項１に記載のミックス信号画像のリアルタイム表示方法。
【請求項９】
前記異なるデータ提供源からの信号をミックスしてなる信号が、同一のモニタか、もしくは異なるモニタの１つに表示されることを特徴とする請求項１に記載のミックス信号画像のリアルタイム表示方法。
【請求項１０】
前記監視端はネットワークを介して監視ホストにリンクし、ネットワークブラウザを利用して、該異なるデータ提供源の信号をミックスした信号による画像を表示することを特徴とする請求項１に記載のミックス信号画像のリアルタイム表示方法。
【請求項１１】
前記監視端において、同一監視画面から監視したい監視装置の撮影する画像を選択し、且つ、該画像の提供源が該アナログ監視装置及び／もしくは該デジタル監視装置であることを特徴とする請求項１に記載のミックス信号画像のリアルタイム表示方法。
【請求項１２】
前記データミキサーが、異なる画像フォーマットの画像データを受信することを特徴とする請求項１に記載のミックス信号画像のリアルタイム表示方法。
【請求項１３】
前記方法が同一ソフトウェアによって整合され、進行することを特徴とする請求項１に記載のミックス信号画像のリアルタイム表示方法。
【請求項１４】
前記アナログ画像のフォーマットがＮＴＳＣか、もしくはＰＡＬから選択されることを特徴とする請求項１に記載のミックス信号画像のリアルタイム表示方法。
【請求項１５】
前記デジタル監視装置がネットワークデジタル監視カメラであることを特徴とする請求項１に記載のミックス信号画像のリアルタイム表示方法。
【請求項１６】
前記デジタル画像のフォーマットがＭＰＥＧか、ＭＰＥＧ２か、ＭＰＥＧ４か、Ｈ．２６３か、もしくはＨ．２６４から選択されることを特徴とする請求項１に記載のミックス信号画像のリアルタイム表示方法。
【請求項１７】
前記監視システムが入退出管理システムのカード読み取りを制御できることを特徴とする請求項１に記載のミックス信号画像のリアルタイム表示方法。
【請求項１８】
前記監視システムが感知装置を具えることを特徴とする請求項１に記載のミックス信号画像のリアルタイム表示方法。
【請求項１９】
前記感知装置が、マグネチックスイッチか、赤外線センサーか、マイクロウェーブ空間センサーか、ガラス振動センサーか、煙感知器、温度センサーか、ガス感知器か、火災感知器か、一酸化炭素感知器か、有毒ガス感知器か、緊急救助ボタンか、無線救助装置か、点灯アラームか、もしくは指示ランプによって構成されるグループのから少なくとも一以上選択されることを特徴とする請求１８に記載のミックス信号画像のリアルタイム表示方法。
【請求項２０】
前記送受信インタフェイスがＰＣＩバスか、ユニバーサル・シリアル・バスか、もしくはＩＥＥＥ１３９４によって構成されるグループのから選択されることを特徴とする請求項１に記載のミックス信号画像のリアルタイム表示方法。
【発明の詳細な説明】
【技術分野】
【０００１】
この発明は、ミックス信号画像のリアルタイム表示方法に関し、特にミックス信号をリアルタイムで表示するミックス信号画像のリアルタイム表示方法に関する。
【背景技術】
【０００２】
現代社会では、セキュリティシステムの需要が大幅に増加している。産業規模の拡大や企業のグローバル化に伴い、監視拠点の遠隔化が進んでいる。さらに、投資環境の改善に加えて、企業は海外に次々と工場を設立している。このためインターネットにより遠隔地点での監視システムへの需要が日増しに増加している。
【０００３】
一般的に安全監視システムは、入退出管理システム、盗難警報システム、画像監視システムなどの３大システムを含み、そのうち画像監視システムは撮影した画像をインプットし、画像処理と記録を表示する等の技術と連結している。現在、使用されている画像監視システムは、この種のクローズドサーキットテレビジョン（ｃｌｏｓｅｄ−ｃｉｒｃｕｉｔ  ｔｅｌｅｖｉｓｉｏｎ  ＣＣＴＶ）監視システムからなる。ＣＣＴＶ監視システムは、録画するテープの保存が難しいため、頻繁にテープを交換しなければならない、信号が減衰する、画像品質が劣るなどの問題があるが、コストが安いため、ＣＣＴＶ監視システムが多く使用されている。また、デジタル化と遠隔監視システムの需要増加に伴い、デジタル式画像監視システムは今後、セキュリティシステム市場で徐々に発展していく様相を示している。また、従来のアナログカメラはLANカメラ（ＬＡＮ  Ｃａｍｅｒａ）を使用して画像を捕捉する。
【０００４】
現在の監視システムの画像表示はアナログ信号とデジタル信号が同時に存在する。しかし、デジタル式画像監視システムはデジタル画像だけを表示し、アナログ式画像監視システムはアナログ画像だけを表示する。
【発明の開示】
【発明が解決しようとする課題】
【０００５】
この発明は、異なる形式の画像信号を整合して、同一の監視画面においてリアルタイムで表示することによって、アナログ監視システムとデジタル監視システムとの間に互換性を有しないという問題を改善するミックス信号画像のリアルタイム表示方法を提供することを課題とする。
【０００６】
また、この発明はインターネット、もしくはイントラネットを介して監視ホストにリンクすることによってリアルタイムで監視カメラの撮影した画像の監視を行うことができ、入退出を管理するカード読み取りの状況を把握することができ、且つ各種感知器の情報が得られ、セキュリティ管理の効果を実質的に高めることのできるミックス信号画像のリアルタイム表示方法を提供することを課題とする。
【課題を解決するための手段】
【０００７】
そこで、本発明の発明者は従来の技術に見られる欠点に鑑みて鋭意研究を重ねた結果、ネットワークにリンクして画像信号を伝送する監視ホストを含む監視システムに応用する画像表示方法であって、インターネット／ローカルエリアネットを介して伝送されるデジタル画像データと、および該送受信インタフェイスを介して伝送されるアナログ画像データとを受信するステップと、データ捕捉サーバーを利用してデジタル画像データと、該アナログ画像データとを収集して処理を行い、送信するステップと、該デジタル画像データとアナログ画像データとをマージ（ｍｅｒｇｅ）して、異なるデータ提供源からの信号がミックスされた信号を形成し、監視端に提供してリアルタイムで該デジタル画像データと該アナログ画像データとを表示するステップとを含んでなるミックス信号画像のリアルタイム表示方法によって課題を解決できる点に着眼し、かかる知見に基づいて本発明を完成させた。
以下、この発明について具体的に説明する。
【０００８】
請求項１に記載するミックス信号画像のリアルタイム表示方法は、監視ホストを含み、インターネット／ローカルエリアネットを介して複数の監視装置にリンクし、かつ送受信インタフェースを介して複数のアナログ監視装置にリンクしてなる監視システムに応用する画像表示方法であって、該インターネット／ローカルエリアネットを介して伝送されるデジタル画像データと、該送受信インタフェイスを介して伝送されるアナログ画像データとを受信するステップと、データ捕捉サーバーを利用してデジタル画像データと、該アナログ画像データとを収集して処理を行い、送信するステップと、該デジタル画像データとアナログ画像データとをマージ（ｍｅｒｇｅ）して、異なるデータ提供源からの信号がミックスされた信号を形成し、監視端に提供してリアルタイムで該デジタル画像データと該アナログ画像データとを表示するステップとを含んでなる。
【０００９】
請求項２に記載するミックス信号画像のリアルタイム表示方法は、請求項１におけるデジタル画像データとアナログ画像データとが、データミキサーによって該デジタル画像データと該アナログ画像データとを同時に処理し、マージ（ｍｅｒｇｅ）される。
【００１０】
請求項３に記載するミックス信号画像のリアルタイム表示方法は、請求項１における異なるデータ提供源からの信号がミックスされた信号が形成された後、該信号をデータベースに保存し、該デジタル画像データと該アナログ画像データとをリアルタイムで表示するために監視端に提供するステップを更に含む。
【００１１】
請求項１に記載するミックス信号画像のリアルタイム表示方法は、請求項１におけるデータ捕捉サーバが該アナログ画像データを処理してデジタル信号の提供源とし、且つ後続の処理において該アナログ画像信号が該デジタル監視装置を提供源として提供されるものと見なす。
【００１２】
請求項５に記載するミックス信号画像のリアルタイム表示方法は、請求項１における監視システムが、該インターネット／ローカルエリアネットワークにリンクして、該デジタル画像データを受信するネットワーク通信装置を具える。
【００１３】
請求項６に記載するミックス信号画像のリアルタイム表示方法は、請求項１における監視システムが、該送受信インタフェイスにリンクして該アナログ画像データを受信するバス通信装置を具える。
【００１４】
請求項７に記載するミックス信号画像のリアルタイム表示方法は、請求項１における前記インターネット／ローカルエリアネットワークがＴＣＰ／ＩＰ構造によってなり、且つ、それぞれのデジタル監視装置に独自のＩＰアドレスが設定される。
【００１５】
請求項８に記載するミックス信号画像のリアルタイム表示方法は、請求項１におけるローカルエリアネットワークがイーサネット（Ｅｔｈｅｒｎｅｔ  Ｎｅｔｗｏｒｋ）（登録商標）である。
【００１６】
請求項９に記載するミックス信号画像のリアルタイム表示方法は、請求項１における異なるデータ提供源からの信号をミックスしてなる信号が、同一のモニタか、もしくは異なるモニタの１つに表示される。
【００１７】
請求項１０に記載するミックス信号画像のリアルタイム表示方法は、請求項１における監視端がネットワークを介して監視ホストにリンクし、ネットワークブラウザを利用して、該異なるデータ提供源の信号をミックスした信号による画像を表示する。
【００１８】
請求項１１に記載するミックス信号画像のリアルタイム表示方法は、請求項１における監視端において、同一監視画面から監視したい監視装置の撮影する画像を選択し、且つ、該画像の提供源が該アナログ監視装置及び／もしくは該デジタル監視装置である。
【００１９】
請求項１２に記載するミックス信号画像のリアルタイム表示方法は、請求項１におけるデータミキサーが、異なる画像フォーマットの画像データを受信する。
【００２０】
請求項１３に記載するミックス信号画像のリアルタイム表示方法は、請求項１における方法が同一ソフトウェアによって整合され、進行する。
【００２１】
請求項１４に記載するミックス信号画像のリアルタイム表示方法は、請求項１におけるアナログ画像のフォーマットがＮＴＳＣか、もしくはＰＡＬから選択される。
【００２２】
請求項１５に記載するミックス信号画像のリアルタイム表示方法は、請求項１におけるデジタル監視装置がネットワークデジタル監視カメラである。
【００２３】
請求項１６に記載するミックス信号画像のリアルタイム表示方法は、請求項１におけるデジタル画像のフォーマットがＭＰＥＧか、ＭＰＥＧ２か、ＭＰＥＧ４か、Ｈ．２６３か、もしくはＨ．２６４から選択される。
【００２４】
請求項１７に記載するミックス信号画像のリアルタイム表示方法は、請求項１における監視システムが入退出管理システムのカード読み取りを制御できる。
【００２５】
請求項１８に記載するミックス信号画像のリアルタイム表示方法は、請求項１における監視システムが感知装置を具える。
【００２６】
請求項１９に記載するミックス信号画像のリアルタイム表示方法は、請求項１８における感知装置が、マグネチックスイッチか、赤外線センサーか、マイクロウェーブ空間センサーか、ガラス振動センサーか、煙感知器、温度センサーか、ガス感知器か、火災感知器か、一酸化炭素感知器か、有毒ガス感知器か、緊急救助ボタンか、無線救助装置か、点灯アラームか、もしくは指示ランプによって構成されるグループのから少なくとも一以上選択される。
【００２７】
請求２０に記載するミックス信号画像のリアルタイム表示方法は、請求項１における送受信インタフェイスがＰＣＩバスか、ユニバーサル・シリアル・バスか、もしくはＩＥＥＥ１３９４によって構成されるグループのから選択される。
【発明の効果】
【００２８】
この発明のミックス信号画像のリアルタイム表示方法は、異なる形式の信号を整合し、同一の画面においてリアルタイムで表示することができる。したがって、従来の技術におけるデジタル監視システムやアナログ監視システムとの間に互換性がないという問題を改善し、ユーザー端末においてインターネットか、或いはイントラネットを介して監視ホストにリンクすることによって、リアルタイムで監視カメラの撮影した画像を監視し、入退出を管理するカード読み取りの状況を把握し、各種感知器の情報を得ることができるため、セキュリティ管理の効果を実質的に高めるという効果を有する。
【発明を実施するための最良の形態】
【００２９】
この発明は、ネットワークにリンクして画像信号を伝送する監視ホストを含む監視システムに応用する画像表示方法であって、インターネット／ローカルエリアネットワークを介して伝送されるデジタル画像データと、および該送受信インタフェイスを介して伝送されるアナログ画像データとを受信するステップと、データ捕捉サーバーを利用してデジタル画像データと、該アナログ画像データとを収集して処理を行い、送信するステップと、該デジタル画像データとアナログ画像データとをマージ（ｍｅｒｇｅ）して、異なるデータ提供源からの信号がミックスされた信号を形成し、監視端に提供してリアルタイムで該デジタル画像データと該アナログ画像データとを表示するステップとを含んでなる。
かかるミックス信号画像のリアルタイム表示方法の特徴を詳述するために具体的な実施例を挙げ、図示を参照にして以下に説明する。
【実施例】
【００３０】
この発明によるミックス信号画像のリアルタイム表示方法は、監視システムを応用したものであって、図１に開示するように、該監視システムは、監視ホスト１０を含んでなる。該監視ホスト１０はインターネット１２を介して複数の外部ネットワーク１４にリンクし、且つエリアネットを介して内部ネットワーク１６にリンクする。外部ネットワーク１４と内部ネットワーク１６はネットワーク内にそれぞれ複数のデジタル監視装置１８、即ち、ネットワークデジタル監視カメラ（ＩＰ  Ｃａｍｅｒａ）を設けてなる。また、外部ネット１４と内部ネットワーク１６はTCP/IP構造からなり、常用されるものとしてイーサネット（登録商標）ネットワーク（Ｅｔｈｅｒｎｅｔ  Ｎｅｔｗｏｒｋ）が挙げられる。それぞれのデジタル監視装置１８は独自のＩＰアドレスを設定する。外部ネットワーク１４と内部ネットワーク１６は、ネットワーク内において送受信インタフェイスを介して複数のアナログ監視装置２０にリンクする。対応する内部バスについては、通常該送受信インタフェイスはＰＣＩバス（Ｐｅｒｉｐｈｅｒａｌ  ｃｏｍｐｏｎｅｎｔ  ｉｎｔｅｒｃｏｎｅｅｃｔ  PCI）であって、外部バスについては、通常該送受信インタフェイスはユニバーサル・シリアル・バス（Ｕｎｉｖｅｒｓａｌ  ｓｅｒｉａｌ  ｂｕｓ：ＵＳＢ）とIEEE1394（ｆｉｒｅ  ｗｉｒｅ）からなる。
【００３１】
また、外部ネットワーク１４と内部ネットワーク１６はそれぞれ、Ｉ／Ｏコントローラ２２と、入退出管理監視装置２４と、現場のモニター２６とを設けてなり、Ｉ／Ｏコントローラ２２を利用して複数の感知装置２８にリンクし、入退出監視装置２４を利用して複数のカード読み取り装置３０に接続してカードを読み取り、入退出を監視する。現場の管理者は当該地点のモニター２６を利用して、その場で撮影した画像を見ることができる。該感知装置２８は通常、マグネチックスイッチか、赤外線センサーか、マイクロウェーブ空間センサーか、ガラス振動センサーか、煙感知器、温度センサーか、ガス感知器か、火災感知器か、一酸化炭素感知器か、有毒ガス感知器か、緊急救助ボタンか、無線救助装置か、点灯アラームか、もしくは指示ランプなどのユニットである。
【００３２】
また、遠隔端モニター３２はインターネット１２を介して前述の内部ネット１６、及び外部ネット１４にリンクする。よって、遠隔端においてリアルタイムでデジタル画像とアナログ画像を表示し、遠隔端から監視することができる。
【００３３】
次に、この発明のミックス信号画像のリアルタイム表示方法について説明する。図２に開示するように、まず、監視システムにネットワーク通信装置とバス通信装置が設けられているか否か、またそれぞれがインターネット／ローカルエリアネットワーク、及びバスに接続しているか確認する。確実に接続していることを確認した後、ステップＳ１０とＳ１２との両ステップを同時に進行させ、インターネット／ローカルエリアネットワークを介して伝送されるデジタル映像データを受信し、且つ、バスを介して伝送されるアナログデータも同時に受信する。該デジタル画像データはデジタル監視装置が撮影して生成されるもので、該アナログ画像データはアナログ監視装置が撮影し、生成されるものである。
【００３４】
次いでステップＳ１４に進み、データ捕捉サーバーを利用して画像データを収集し、且つ該アナログ画像データをデジタル信号源として処理し、監視ホストが後続の処理を行う場合、該アナログ画像データをデジタル監視装置から伝送されるデータとして処理する。
【００３５】
アナログ画像データの処理が終了すると、該デジタル画像データと該アナログ画像データとを同時にデータミキサーに送信してステップＳ１６に進む。ステップＳ１６において、該デジタル画像データと該アナログ画像データは、データミキサーで同時に処理され、異なる供給信号源からの信号をマージ（merge）して、異なるデータ供給源からの信号が混合した信号を形成する。例えば、異なるデータ供給源からのデジタル信号をミックスした信号であって、該データミキサーは、異なるフォーマットの画像データを受信することができる。通常デジタル画像のフォーマットは、ＭＰＥＧ、ＭＰＲＧ２、ＭＰＥＧ４、Ｈ．２６３、Ｈ．２６４などであって、アナログ画像のフォーマットは通常ＮＴＳＣか、ＰＡＬである。
【００３６】
上述するように、信号をマージしてデータ供給源がミックスされたデジタル信号を形成した後、ステップＳ１８に進む。ステップＳ１８において、該デジタル信号はデータベースに保存され、監視端において該デジタル信号による画像表示に提供する。
【００３７】
最後にステップＳ２０において、監視端は該データベース、或いはデータミキサーからデジタル信号を受信して、リアルタイムでデジタル画像データとアナログ画像データとを表示する。
【００３８】
該データ供給源がミックスされたデジタル信号は、同一モニター上に表示されるとともに、異なるモニターに同時に表示することができる。また、該監視端は、その場の監視端であるとともに、遠隔端である監視端であってもよい。仮に遠隔端である監視端とする場合、インターネットを介して監視ホストにリンクし、且つマイクロソフト者のＩＥブラウザのようなブラウザを利用してデジタル画像とアナログ画像を同時に表示することができる。また、該監視端は同一監視画面において見たい監視装置の撮影した映像を選択することができる。さらに、該画像の提供源は、同時にアナログ監視装置とデジタル監視装置であってもよい。
【００３９】
前述のミックス信号画像のリアルタイム表示方法は同一のソフトウェアによって整合して進行させることがでる。
【００４０】
この発明の方法によれば、監視画面を見る場合、一般の監視カメラのアナログ画像以外に、ネットワークから送信されるデジタル監視カメラのデジタル画像も受信することができ、異なる形式の信号を整合し、同一の画面においてリアルタイムで表示することができる。したがって、従来の技術におけるデジタル監視システムやアナログ監視システムとの間に互換性がないという問題を克服することができる。また、ユーザー端末において、インターネットか、或いはイントラネットを介して監視ホストにリンクすることによって、リアルタイムで監視カメラの撮影した画像を監視し、入退出を管理するカード読み取りの状況を把握し、各種感知器の情報を得ることができるため、セキュリティ管理の効果を実質的に高めることができる。
【００４１】
以上は、この発明の好ましい実施例であって、この発明の実施の範囲を限定するものではない。よって、当業者のなし得る修正、もしくは変更であって、この発明の精神の下においてなされ、この発明に対して、均等の効果を有するものは、いずれもこの発明の特許請求の範囲に属するものとする。
【図面の簡単な説明】
【００４２】
【図１】この発明のミックス信号画像のリアルタイム表示方法を応用したシステムの構造を表示した説明図。
【図２】この発明のミックス信号画像のリアルタイム表示方法のステップを示したフローチャートである。
【符号の説明】
【００４３】
１０        監視ホスト
１２        インターネット
１４        外部ネットワーク
１６        内部ネットワーク
１８        デジタル監視装置
２０        アナログ監視装置
２２        Ｉ／Ｏコントローラ
２４        入退出管理監視装置
２６        モニター
２８        感知装置
３０        カード読み取り装置
３２        遠隔端モニター
【図１】
2005151604.tif 000003
【図２】
2005151604.tif 000004